(57)【要約】【課題】被乾燥物の送り量を調整可能な乾燥機を提供する。【解決手段】乾燥機は、熱風が供給される筐体２と、筐体２内に設けられ所定方向Ｄ１に延びる回転軸３と、回転軸３に支持された支持手段と、支持手段により支持された螺旋状の内羽根４と、筐体２内に被乾燥物を供給する供給手段と、を備える。回転軸３が所定の回転方向Ｄ２に回転すると、内羽根６は回転軸３と一体的に回転し、被乾燥物を下流側に送り出す。支持手段は、内羽根６の螺旋ピッチＰを調節可能に支持する。【選択図】図２
2019070483.tif 000002
【特許請求の範囲】
【請求項１】
熱風が供給される筐体と、
前記筐体内に設けられ、所定方向に延びる回転軸と、
前記回転軸に支持された支持手段と、
前記支持手段により支持された螺旋状の内羽根と、
前記筐体内に被乾燥物を供給する供給手段と、を備え、
前記回転軸が所定の回転方向に回転すると、前記内羽根は前記回転軸と一体的に回転し、前記被乾燥物を前記所定方向下流側に送り出し、
前記支持手段は、前記内羽根の螺旋ピッチを調節可能に支持することを特徴とする乾燥機。
【請求項２】
前記内羽根は、前記内羽根の両端部が前記支持手段に装着されることにより前記支持手段によって支持され、
前記内羽根の両端部のうち少なくとも一方の端部の前記支持手段への装着位置をずらすことにより前記螺旋ピッチを調節可能であることを特徴とする請求項１に記載の乾燥機。
【請求項３】
前記内羽根は略一周分の螺旋形状を有し、前記内羽根は前記所定方向に沿って複数個配列されていることを特徴とする請求項１又は２に記載の乾燥機。
【請求項４】
前記支持手段は、前記回転軸に装着された複数個のホイール部材と、前記複数個のホイール部材に掛け渡されて支持される板部材と、を有し、
前記内羽根は前記板部材に装着され、
前記板部材は、前記被乾燥物を掻き上げる外羽根として機能することを特徴とする請求項１〜３の何れかに記載の乾燥機。
【請求項５】
前記筐体の底面には排水口が設けられ、前記排水口は前記底面の前記所定方向下流側に位置し、
前記筐体は全体として、前記所定方向下流側に向けて下り勾配に傾斜していることを特徴とする請求項１〜４の何れかに記載の乾燥機。
【請求項６】
前記筐体の周面には、平面視前記所定方向に沿って千鳥状に配置された少なくとも３個の点検口が設けられていることを特徴とする請求項１〜５の何れかに記載の乾燥機。
【発明の詳細な説明】
【技術分野】
【０００１】
本発明は、熱風により被乾燥物を乾燥させるための乾燥機に関する。
【背景技術】
【０００２】
従来より、穀物や野菜、生おから等の被乾燥物を乾燥させるための乾燥機が提案されている。例えば、特許文献１に開示の筒状乾燥装置は、筒状本体部に一端部から熱風と原料を供給して原料を乾燥させ、乾燥された原料は乾燥品として他端部から取り出される。筒状本体部には、回転シャフトと共に回転する羽根部材が傾斜して設けられ、この羽根部材により原料が掻き上げられて原料の乾燥が促されると共に、他端部側への送り力が原料に対して付与される。
【先行技術文献】
【特許文献】
【０００３】
【特許文献１】特開２００２−３５００５７
【発明の概要】
【発明が解決しようとする課題】
【０００４】
特許文献１に開示の筒状乾燥装置においては、羽根部材による原料の送り量は羽根部材の傾斜角度に依存するが、羽根部材の傾斜角度は予め決められており、原料の送り量を調整することはできなかった。
【０００５】
また、従来の筒状乾燥装置は点検口が狭く、筒状乾燥装置の内部清浄が困難であると共に、内部洗浄後に洗浄水の一部が内部に溜まり、完全に排水しきれないという問題があった。
【０００６】
本発明は、被乾燥物の送り量を調整可能な乾燥機の提供を目的とする。
【０００７】
本発明は更に、排水を容易に行うことの可能な乾燥機の提供を目的とする。
【課題を解決するための手段】
【０００８】
本発明の乾燥機は、熱風が供給される筐体と、前記筐体内に設けられ、所定方向に延びる回転軸と、前記回転軸に支持された支持手段と、前記支持手段により支持された螺旋状の内羽根と、前記筐体内に被乾燥物を供給する供給手段と、を備え、前記回転軸が所定の回転方向に回転すると、前記内羽根は前記回転軸と一体的に回転し、前記被乾燥物を前記所定方向下流側に送り出し、前記支持手段は、前記内羽根の螺旋ピッチを調節可能に支持することを特徴とする。
【０００９】
また、前記筐体の底面には排水口が設けられ、前記排水口は前記底面の前記所定方向下流側に位置し、前記筐体は全体として、前記所定方向下流側に向けて下り勾配に傾斜していることを特徴とする。
【００１０】
更に、前記筐体の周面には、前記所定方向に沿って千鳥状に配置された少なくとも３個の点検口が設けられていることを特徴とする。
【発明の効果】
【００１１】
本発明の乾燥機によれば、螺旋状の内羽根が設けられているので、被乾燥物の流動を促すことができる。また、内羽根の螺旋ピッチを調節可能であるので、回転軸の回転量を変動させることなく被乾燥物の搬送量／搬送速度を調整することができる。
【００１２】
また、前記筐体の底面下流側には排水口が設けられ、前記筐体は全体として下流側に向けて下り勾配に傾斜しているので、筐体内部を洗浄した際の排水を良好に行うことができる。
【００１３】
更に、前記筐体の周面には、前記所定方向に沿って千鳥状に配置された少なくとも３個の点検口が設けられているので、筐体内部の洗浄作業を容易に行うことができる。
【図面の簡単な説明】
【００１４】
【図１】本発明の実施形態に係る乾燥機を示す概略図であり、（ａ）は正面図、（ｂ）は（ａ）のＩｂーＩｂ線断面図。
【図２】図１に示す乾燥機が備える乾燥装置の内部構造を説明する縦断面図。
【図３】図２のＩＩＩーＩＩＩ線断面図。
【図４】図２に示す乾燥装置が備える内羽根の支持構造を示す概略斜視図。
【発明を実施するための形態】
【００１５】
以下、添付図面を参照して、本発明の実施形態に係る乾燥機について説明する。図１を参照して、本実施形態の乾燥機１は通気回転式乾燥機であって、熱風発生装置１１と、被乾燥物供給装置（供給手段）１２と、乾燥装置１３と、を備える。熱風発生装置１１は熱風を発生させて乾燥装置１３へ供給する。被乾燥物供給装置１２は、被乾燥物（図示せず）を貯留するためのホッパ１２ａと、ホッパ１２ａに貯留された被乾燥物を乾燥装置１３へ搬送するための搬送装置１２ｂと、を備える。乾燥装置１３に供給された被乾燥物は熱風に曝されて乾燥され、乾燥物として熱風と共に乾燥装置１３から排出され、ダクト１４を介して図示しないサイクロンにより熱風と分離回収される。
【００１６】
図２をも参照して、乾燥装置１３は、所定方向Ｄ１に延びる有底円筒状の筐体２を備える。筐体２の一端側（上流側）には、熱風発生装置１１からの熱風が供給される通風口２１と、被乾燥物供給装置１２から被乾燥物が供給される供給口２２と、が設けられ、その他端側（下流側）にはダクト１４に連通する排出口２３が設けられている。
【００１７】
乾燥装置１３は更に、筐体２内部に設けられた回転軸３と、回転軸３に所定間隔で支持された複数個のホイール部材４と、ホイール部材４により支持された複数枚の外羽根５と、外羽根５に支持された螺旋状の２枚の内羽根６と、を備える。回転軸３は所定方向Ｄ１に延び、図示しない駆動手段により所定方向（所定の回転方向）Ｄ２に回転駆動される。
【００１８】
図２及び図３を参照して、各ホイール部材４は、回転軸３が挿通固定された基端部４１と、基端部４１から放射状に延出する複数本の接続部４２と、接続部４２の先端に固定されたリング状のリム部４３と、を有する。外羽根５はホイール部材４の周方向に所定間隔で並列配置されている。各外羽根５は供給口２２の近傍から排出口２３の近傍まで所定方向Ｄ１に延出する板状部材であって、複数枚のホイール部材４に掛け渡され、リム部４３から径方向外方に延出するように固定されている。
【００１９】
図２及び図４を参照して、各内羽根６は略一周分の螺旋形状を有し、その両端部６１が複数枚の外羽根５のうちの特定の一枚の外羽根５（以下、「支持羽根５０」ともいう）の両面にそれぞれ取り付けられている。より具体的に、支持羽根５０には所定方向Ｄ１に延びる長孔５１が穿設されている。内羽根６の両端部６１にはそれぞれＬ字型の取付金具７が取り付けられており、取付金部７には所定方向Ｄ１と直交する方向Ｄ３に延びる長孔７１が穿設されている。そして、取付金具７は長孔７１及び長孔５１に挿通されたボルト７２により支持羽根５０の両面にそれぞれ固定され、これにより内羽根６の両端部６１は取付金具７を介して支持羽根５０の両面にそれぞれ取り付けられている。
【００２０】
よって、ボルト７２を緩めることにより内羽根６の端部６１は長孔５１に沿って所定方向Ｄ１へスライド自在となり、ボルト７２を締めることにより任意の位置で固定される。このようにして内羽根６の少なくとも何れか一方の端部６１について位置調整を行うことにより、両端部６１間の所定方向Ｄ１の距離（即ち螺旋ピッチ）Ｐを調整することができる。また、各内羽根６の中間部にはネジ棒８が挿通されており、一対のナット８１により締め付け固定されている。図２に示す様にネジ棒８は上流側に位置する一対のホイール部材４により、外羽根５よりも内側の位置で支持されており、内羽根６を補強している。
【００２１】
なお、本実施形態では、ホイール部材４、支持羽根５０及びネジ棒８が、内羽根６を支持する支持手段として機能する。
【００２２】
かかる構成により、回転軸３が回転すると、外羽根５及び内羽根６は回転軸３と一体的に回転する。外羽根５が回転すると、被乾燥物は上方に掻き上げられて撹拌され、被乾燥物はこのように撹拌されることにより均一に熱風に曝され、均一な乾燥が促される。また、内羽根６が回転すると、被乾燥物は撹拌されながら下流側へ送り出され、被乾燥物が過剰に滞留するのを防止できる。
【００２３】
ここで、被乾燥物の下流側への搬送は、主に熱風により被乾燥物が吹き飛ばされることにより行われる。被乾燥物は、下流側に向かうに従い乾燥が進んで軽くなることから、下流側では熱風により搬送されやすくなるが、さほど乾燥が進んでいない上流側では熱風ののみによる搬送には限界がある。その点、本実施形態では螺旋状の内羽根６を設けているので、内羽根６の回転により被乾燥物の搬送を促すことができる。なお、内羽根６は乾燥装置１３の所定方向Ｄ１全域に設ける必要はなく、図２に示す様に筐体２内の上流側領域、即ち供給口２２付近にさえ設けておけば、被乾燥物の良好な流動を促すことができる。
【００２４】
また、各内羽根６は略１周分の螺旋形状を有するが、図２に示す様に複数枚の内羽根６を所定方向Ｄ１に並設させることにより、全体として連続した複数周分の螺旋形状を構成することができ、被乾燥物を連続して搬送させることができる。
【００２５】
図２を参照して、筐体２は全体が下流側に向けて下り勾配に傾斜し設けられ、筐体２の底面下流側には排水口２４が設けられている。また、図１に示すように、筐体２の外周面には３個の点検口２５，２６，２７が設けられ、これら３個の点検口２５〜２７は平面視所定方向Ｄ１に沿って千鳥状に配置されている。
【００２６】
筐体２を全体的に下流側に向けて下り勾配に傾斜させることにより、乾燥装置１３の内部を洗浄した際に排水口２４を介した洗浄水の排水を容易に行うことができる。また、点検口を複数個設けることにより、乾燥装置１３の内部にアクセスしやすくなり、内部洗浄を容易に行うことができる。なお、筐体２の傾斜度としては０．５°〜１．０°程度あれば足りる。
【００２７】
このように、本実施形態の乾燥機１によれば、内羽根６の渦巻ピッチＰを可変としたので、回転軸３ひいては内羽根６の回転速度を変更することなく、被乾燥物の送り量（搬送速度）を容易に調整することができる。  
以上、本発明の実施形態に係る乾燥機１について添付の図面を参照して説明したが、本発明はかかる実施形態に限定されず、本発明の範囲を逸脱することなく種々の変形、修正が可能である。
【００２８】
例えば、上記実施形態においては、２枚の内羽根６を設けたが、内羽根６の枚数は２枚に限定されず、１枚であっても良く、或いは３枚以上であっても良い。また、上記実施形態においては内羽根６の両端部６１を位置調整可能としたが、何れか一方を固定とし、他方のみを位置調整可能な構成とすることもできる。
【００２９】
上記実施形態では、外羽根５の一枚を内羽根６を支持する支持羽根５０として利用したが、内羽根６を支持する支持板を外羽根５とは別個の部材としても良い。
【００３０】
また、上記実施形態では、点検口を３個設けたが、４個以上設けても良い。この場合であっても、複数個の点検口は所定方向Ｄ１に沿って平面視千鳥状に設けるのが好ましい。なお、筐体２の所定方向Ｄ１長さが比較的短い場合には、点検口の数は２個であっても良いが、この場合であっても点検口の位置は所定方向Ｄ１にずらして設けるのが好ましい。
【符号の説明】
【００３１】
１  乾燥機
２  筐体
３  回転軸
４  ホイール部材
５  外羽根
６  内羽根
１３  乾燥装置
５０  支持羽根
Ｐ  螺旋ピッチ
【図１】
2019070483.tif 000003
【図２】
2019070483.tif 000004
【図３】
2019070483.tif 000005
【図４】
2019070483.tif 000006